(57)【要約】【課題】物品を包装した状態での運搬の不便を解消した、リバーシブルの風呂敷を提供すること。【解決手段】本考案のリバーシブルの風呂敷バッグ１は、リバーシブルに形成した略正方形の基布２と、前記基布２の一方側の面の中央部に取り付けられた取手部３と、から成り、取手部３が、一本の帯の両端を閉じて形成した長輪から成り、長輪を前記基布２の前記中央部において、前記基布２の一対角線Ｄ１の方向に、およびその両側部分が、当該一対角線Ｄ１に直交する前記基布２の第二の対角線Ｄ２に関して実質的に対称的なＵ字形状を成すように配置し、前記長輪の長手中央部の帯区間を略平行にし、長輪のＵ字形端部４の内側の縁が、当該Ｕ字形端部４が当接する前記基布２の隅部の縁Ｅに接するか、ないしは当該縁Ｅから外側に位置するようにしたことを特徴とする。【選択図】図１
0003125318.tif 000002
【実用新案登録請求の範囲】
【請求項１】
表面と裏面をリバーシブルに形成した略正方形の基布と、前記基布の一方側の面の中央部に取り付けられた取手部と、から成る取手付きの風呂敷であって、
前記取手部が、一本の帯の両端を閉じて成る長輪から成り、前記長輪を前記基布の前記中央部に、長手方向を前記基布の一対角線の方向に向けて配置し、当該長輪の両側部分を、前記一対角線に直交する前記基布の第二の対角線に関して実質的に対称的なＵ字形状にして、当該長輪の長手中央部を前記基布に縫着したものであり、
前記帯が１．５〜５ｃｍの幅を有し、前記帯の、前記長輪の前記長手中央部を構成する区間が、７〜１８ｃｍの間隔を空けて略平行になっており、前記長輪のＵ字形端部の内側の縁が、当該Ｕ字形端部が当接する前記基布の隅部の縁に接しているか、ないしは当該縁より外側に位置していることを特徴とする、リバーシブルの風呂敷バッグ。
【請求項２】
前記長輪の前記長手中央部が、前記基布における、前記第二の対角線を中心線する前記一対角線の長さの４０〜６０％の幅の一帯との、前記長輪の重なり部分であることを特徴とする、請求項１に記載の風呂敷バッグ。
【請求項３】
前記長輪のＵ字形端部の内側の縁が、当該Ｕ字形端部が当接する前記基布の隅部の縁から０．３〜１０ｃｍ外側に位置していることを特徴とする、請求項１または請求項２に記載の風呂敷バッグ。
【請求項４】
綿、ポリエステルまたはナイロンから成ることを特徴とする、請求項１〜３のいずれか１項に記載の風呂敷バッグ。
【考案の詳細な説明】
【技術分野】
【０００１】
本考案は、包装材の分野、特に風呂敷の分野に関するものである。
【背景技術】
【０００２】
風呂敷は、日本に古くから存在し、中身に合わせて変形させて適宜の態様で包装でき、使用しない時は、小さく折り畳んで保管できるなど使い勝手のよさや、風合いよさ等の特性から、包装材として広く親しまれてきた。しかし、今日では、使用の簡便さ、大量生産の容易さひいては単価の安さ等の理由から、日常的に使用する包装材、例えばスーパーマーケットやデパート等で客が購入した品を包装する場合等における包装材としては、ビニル袋やポリ袋等の化学合成によるものが一般に使用されている。
【考案の開示】
【考案が解決しようとする課題】
【０００３】
しかし、これらビニル袋やポリ袋等の包装材の多くは使い捨てられるため、資源の浪費の問題や、廃棄処理の際の二酸化炭素の発生・地球温暖化等の環境問題を生じる。そこで、特にかかる問題が注目され始めた近時は、客が購入した品を包装する包装材の代金を回収したり、客が各自で包装材を持参することが喚起される等の対策が全国的にとられ始めている。
【０００４】
かかる状況のもと、従来の風呂敷は何度でも利用が可能であり、好都合であるが、風呂敷は、前記の優れた特性を持つ一方で、特に物品包装時のその持ち運びに際して、持ち手部分がないことから、安全のためには底を支えつつ両手で持ち運ばなければならない、風呂敷の四隅を結んだ結び部分を取手として把持した場合には、結び部分が緩い場合には解ける心配があり、かといって結びを硬くした場合には、中身を取り出す際に解くのに苦労する等の不便がある。そして、かかる不便を解消できれば、風呂敷の使用をもっと広げることができるはずである。
【課題を解決するための手段】
【０００５】
そこで、考案者等は、従来の風呂敷の優れた特性を生かしつつ、運搬時のかかる不便を解消した新規な風呂敷を開発した。
即ち、本願考案に係る風呂敷バッグは、表面と裏面をリバーシブルに形成した略正方形の基布と、前記基布の一方側の面の中央部に取り付けられた取手部と、から成る取手付きの風呂敷であって、前記取手部が、長輪形状のものであり、前記長輪を前記基布の前記中央部に、長手方向を前記基布の一対角線の方向に向けて配置し、その両側部分を、前記一対角線に直交する前記基布の第二の対角線に関して実質的に対称的なＵ字形状にして、その長手中央部を前記基布に縫着したものであり、当該長輪の長手中央部を構成する区間が所定の間隔を空けて略平行に配置されており、当該長輪の両側端部の内側の縁が、当該端部が当接する前記基布の隅部の縁に接しているか、ないしは当該縁より外側に位置していることを特徴とするものである。
【０００６】
本考案の風呂敷バッグを構成する前記基布は、風呂敷本体を構成するものであり、リバーシブルに形成されたもの、即ち、その表面および裏面のいずれも外側に向けて使用できるように形成されたものであり、そのように形成されたものであれば表裏各面の色や柄は問わない。かかる基布には、例えば、布の表面および裏面を色および柄を違えて染め上げたもの、色ないし柄の異なる同形の二枚の布を表裏に配したもの、二重織りにより表面と裏面に別々の織組織を形成したもの等が挙げられる。また、本考案の基布は、概して略正方形形状のものであり、一辺が４０〜１２０ｃｍのものが使用上便利である。
【０００７】
本考案の風呂敷バッグを構成する前記長輪形状の取手部は、その長手方向を前記基布の一方の対角線の方向に向けて、前記基布の中央部に配置されるとともに、その両側部分が前記基布の前記対角線に直交する当該基布の第二の対角線に関して実質的に対称的なＵ字形状をなし、かつ、その各Ｕ字形の端部の内側の縁が、当該端部が当接する前記基布の隅部の縁に接するか、ないしは当該縁より外側に位置するように配置形成され、当該取手部の長手中央部において、当該基布に止着されるものである。取手部を前記基布にこのように取り付けることにより、風呂敷の四隅の結び部分に依らなくても、当該基布で物品を包んだ状態で、当該取手部の両端部を把持部ないし掛け部として簡便に、当該風呂敷ごと物品を持ち運びすることが可能となり、加えて、取手部の各Ｕ字端部内側の開口に、当該Ｕ字形端部が当接する前記基布の隅部を潜らせることが容易となり、よって、本考案の風呂敷バッグをリバーシブル使用することが可能となる。なお、前記取手部を、その各Ｕ字形端部の内側の縁が、当該Ｕ字形端部が当接する基布の隅部の縁から０．１〜１０ｃｍ外側に位置するように形成した場合には、基布のひきつれや変形を生じることなく、当該基布隅部を当該Ｕ字形端部の開口に適切に潜らせることができ、リバーシブル使用のために好ましい。
【０００８】
かかる取手部は、好ましくは前記基布と同じ布材から成る一本の帯の両端を閉じて成るものであり、当該長輪の両端部を除く長手中央部が前記基布に縫着される。かかる帯は、１．５〜５ｃｍの幅を有するものが好ましい。またかかる帯は、前記基布の前記中央部において、当該長輪の長手中央部を構成する区間が、７〜１８ｃｍの間隔を空けて略平行に配置されることが好ましく、こうすることで、本考案における前記取手部の両Ｕ字形の端部の内側には各々、当該Ｕ字形端部が当接する前記基布の隅部をくぐらせるのに充分な大きさの開口が形成され、外側から当該隅部を取手部の当該開口に容易に潜らせることが可能となる。
【０００９】
即ち、取手部を、それを構成する長輪の各Ｕ字形端部の内側の縁が、当該Ｕ字形端部が当接する基布隅部の縁に接するないしは外側に位置するように形成し、かつ、当該長輪の長手中央部の帯区間を前記所定の間隔で略平行とした構成により、本考案の風呂敷バッグは、基布の、前記取手部を取り付けた面を中側として使用すること、即ち、基布の取手部を取り付けた面を上として基布の中央部に物品を乗せ、前記第二の対角線方向の両隅部を結び、残る対向する隅部を各々取手部のＵ字形端部の前記開口に潜らせた状態で、中央部で結び止めて使用することが容易である。
【００１０】
かかる取手部の基布への取り付けに関し、前記取手部の、前記基布に止着される長手中央部の範囲は、前記基布の、前記第二の対角線を中心線する前記一対角線の長さの４０〜６０％の幅の一帯との前記長輪の重なり部分であることが好ましく、止着される範囲をかかる範囲とすることで、当該基布の隅部の、当該取手部のＵ字形端部内側の開口へのくぐらせ易さが確保されるだけでなく、対向する当該隅部が十分広い範囲で当該取手部から遊離し、基布の中央部で隅部同士を結ぶのが容易となり、また、隅部を結んだ際に基布の引きつれを生じることがなく、好ましい外観形状が得られる他、物品包装時・非包装時を問わず、取手部は基布との安定な結合状態を保持する。
【００１１】
本考案の風呂敷バッグは、綿、ポリエステル、またはナイロン等から成ることが好ましく、これらを使用した場合には、幾度の洗浄に耐え得る、丈夫な本考案の風呂敷バッグが得られる。
【考案の効果】
【００１２】
本考案の風呂敷バッグは、基布の表面裏面いずれの面を外側にして物品を包装しても、取手部の両端部を把持部ないし掛け部として、バッグのようにして使用できる。本考案の風呂敷バッグは、基布の、取手部が取り付けられている面を外にして使用した場合には、物品を包んで上方で四隅を結んだ状態の基布の外側底部および側部を取手部が安定に包囲・支持する、バッグ様の外観形状が得られる。そして、基布の、取手部が取り付けられている面を中にして使用した場合には、包装された物品の上面中央部で形成された四隅の結び目の間から取手部のＵ字形端部が現れる巾着様の、前記バッグ様の外観とは趣を異にする外観形状が得られる。即ち、包装する物品により、また、ＴＰＯにより、適宜基布の使用面を選択できる。
以下、本考案の好ましい態様を、図面に基づいて説明する。
【実施例】
【００１３】
[実施例１]
図１に示す本考案の風呂敷バッグ１は、綿素材で両面に異なる着色および柄を施した正方形の基布２（一辺が５０ｃｍ）と、基布２と同じ綿素材で同じ着色および柄を施した一本の帯（幅２．２ｃｍ）から成る取手部３と、から構成される風呂敷バッグである。取手部３は、帯の両端を連結させて成る長輪を、基布２の表側の面の中央部に一対角線Ｄ１の方向に取り付けて成り、その長手中央部では、帯は１０ｃｍの間隔Ｗ１を空けて略平行に配置されており、取手部３の両側のＵ字形端部４の内側の縁が、当該Ｕ字形端部が当接する基布の隅部の縁Ｅから０．３ｃｍだけ外側に位置するようになっている。このように取手部３を形成したことにより、基布隅部ＳをＵ字形端部４の内側の開口Ｏに潜らせて、取手部３の最端部を基布２の裏面へまわし、基布２のひきつれや変形およびＵ字形端部のだぶつきを生じることなくぴったりとＵ字形端部４を当該隅部に掛けることができる。取手部３は、基布２の、対角線Ｄ１に直交する第二の対角線Ｄ２を中心線とする３８．５ｃｍ幅Ｗ２の一帯との重なり部分（斜線部）において基布２に縫着されており、当該重なり部分の両側は基布２から遊離している。風呂敷バッグ１は、図１に示す状態で、基布２の、取手部３を取り付けた表側の面を外側として、バッグ様に使用することができる。また、図１に示す状態の風呂敷バッグ１を、基布隅部Ｓを、両Ｕ字形端部４の内側の開口Ｏに潜らせた状態として（図２Ａおよび図２Ｂ）、基布２の、取手部３を取り付けた表面を上として、その中央部に物品を乗せ、基布２の四隅を結ぶことも容易であり、取手部３を取り付けた面を中側としても簡便に使用できる。
【００１４】
図３Ａに、図１に示す本考案の風呂敷バッグ１を、取手部３を取り付けた基布表面が外側にくるようにして、箱Ｐ（縦２１ｃｍ×横１４ｃｍ×高さ６ｃｍ、図に現れず）を包装した場合の風呂敷バッグ１の外観を示す。箱Ｐの上面で四隅を結んだ基布２の外側底部および側部を、取手部３が、箱Ｐを底から支えるように包囲する。外観形状はバッグのようである。
図３Ｂに、図１に示す本考案の風呂敷バッグ１を図２に示す状態として、取手部３を取り付けた面を中側にして、同じ箱Ｐを同じ向きで包装した場合の風呂敷バッグ１の外観を示す。この場合の風呂敷バッグは、箱Ｐを包んだ状態の基布２の上方中央部において、第二の対角線Ｄ２方向に対向する基布隅部の結び目と、当該結び目の上に形成される、対角線Ｄ１方向に対向する基布隅部の結び目の間から、取手部３のＵ字形端部４が現れる、巾着様の外観を呈する。
【００１５】
図１に示す本考案の風呂敷バッグ１は、基布２のサイズを、一辺７０ｃｍないし一辺１０５ｃｍに変更して、同様の構成でより大きなサイズのものを作製可能であり、このようにサイズを変えた基布を用い、適宜取手部を構成する帯の長さと取手部の中央部の基布に縫着される部分の長さを変更して、適宜の風呂敷バッグを作製できる。即ち、いずれの場合においても、取手部が、その長手中央部で帯が１０ｃｍの間隔を空けて略平行になるように、かつ、その各Ｕ字形端部の内側の縁が、その当接する基布隅部の縁Ｅより０．３〜０．５ｃｍ外側に位置するように、配置形成される。そして、取手部の中央部は、基布の、取手部の長手に略直交する対角線を中心線とする一帯であって、基布の取手部長手方向の対角線の長さの５０％に相当する長さ幅の部分との重なり部分が、基布に縫着される。
【００１６】
[実施例２]
図４に示す本考案の風呂敷バッグ１'は、図１に示す取手部３に代えて、Ｕ字形端部４'の内側の縁が基布２の隅部の縁Ｅから一層外側に位置するように配置形成した取手部３'を用いて、図１に示す風呂敷バッグ１と同様の構成で作製したものである。即ち、図４に示す風呂敷バッグ１'においては、取手部３'のＵ字形端部４'は、その内側の縁が、基布隅部の縁Ｅから１．５ｃｍ外側（Ｗ３）に位置している。かかる構成により、当該隅部Ｓを外側からＵ字形端部４'の内側の開口Ｏ'にくぐらせることが一層容易である。この図に示す風呂敷バッグ１'も、基布２のサイズおよび取手部を構成する帯の長さならびに取手部中央部の、基布に縫着される部分の長さを変えて同様の構成で、適宜のサイズのものを作製できる。
【図面の簡単な説明】
【００１７】
【図１】図１は、本考案のリバーシブルの風呂敷バッグの一態様を図示したものであり、基布の、取手部を取り付けた面を正面とした場合の当該風呂敷バッグの正面図を示す。
【図２】図２は、図１に示す本考案の風呂敷バッグを、正面を中側にして使用するのに適した状態にした態様を示す。図２Ａは、かかる状態における本考案の風呂敷バッグの正面図を示す。図２Ｂは、図２Ａに示す状態の本考案の風呂敷バッグの背面図を示す。
【図３】図３は、図１に示す本考案の風呂敷バッグの使用時の外観を図示したものである。図３Ａは、基布の、取手部を取り付けた面（正面）を外にして使用した場合の外観を示し、図３Ｂは、基布の正面を中にして使用した場合の外観を示す。
【図４】本考案のリバーシブルの風呂敷バッグの別態様の正面図を示す。
【符号の説明】
【００１８】
１、１'  本考案の風呂敷バッグ
２  基布
３、３'  取手部
４、４'  Ｕ字形端部
Ｄ１  基布の一対角線
Ｄ２  基布の第二の対角線
Ｅ  基布隅部の縁
Ｏ、Ｏ'  開口
Ｓ  基布隅部
Ｗ１  取手部の長手中央部の帯区間の間隔
Ｗ２  第二の対角線Ｄ２を中心線する基布中央部一帯の幅
Ｗ３  Ｕ字形端部４'の内側の縁の、基布隅部の縁Ｅからの長さ
【図１】
0003125318.tif 000003
【図２】
0003125318.tif 000004
【図３】
0003125318.tif 000005
【図４】
0003125318.tif 000006